(57)【特許請求の範囲】
【請求項１】
２種類の動作電圧値の異なるカードが挿着できるカードスロットを備えたカードインターフェースに前記カードが挿着された際、当該カードに前記２種類の動作電圧値の異なる電力を選択的に供給する第１固定電源及び第２固定電源と、構成機器全ての動作を制御するＣＰＵとを有した電子機器装置であって、
前記カードスロットに挿着されたカードに対して初めに前記２種類のうち動作電圧値の低い方の前記第１固定電源を供給する手段と、
前記カードスロットに挿着されたカードのＩＤを読み込み、当該カードのＩＤが解読不能な場合に当該カードに供給する電圧を前記第２固定電源からの供給に切り替える手段と、
前記カードインターフェースや当該カードインターフェースを具備する電子機器に実装されているデータ書換え可能なメモリに電力を供給して、そのデータの書換えを行うデータ書換装置が、前記カードスロットに挿着された際に、該データ書換装置から前記メモリに電力供給ができるように設けられた書換電源ラインと、
前記固定電源からの電流が、前記書換電源ラインを介して前記メモリに流入しないように、当該書換電源ラインに設けられたメモリ保護器とを備えたことを特徴とする電子機器装置。
【発明の詳細な説明】
【０００１】
【発明の属する技術分野】
本発明は、動作電圧値の異なるメモリカード等のカードがカードスロットに挿着された場合でも、適切な動作電圧値を自動判定して電力供給できるようにしたカード電源装置に関する。
【０００２】
【従来の技術】
ファクシミリ装置、プリンタ、ノート型パーソナルコンピュータ等の電子機器においては、例えばメモリカードが挿着できるようにカードインターフェース（以下、カードＩ／Ｆと記載する）を備えた電子機器が市場に数多く登場している。なお、当該カードＩ／Ｆにはカードスロットが設けられ、そこにカードが挿着される構成となっている。
【０００３】
このようなカードとしては、ＩＣカード、ＰＣカード、メモリカード等が種々のカードがあり、近年小電力化を図るために動作電圧値が３．３Ｖのカードも市場に数多く登場してきている。
【０００４】
従って、カードの動作電圧値としては、これまでの５Ｖ動作のカードと３．３Ｖ動作のカードとが存在する状況となっている。以下、５Ｖ動作のカードを５Ｖカード、３．３Ｖ動作のカードを３Ｖカードと記載する。
【０００５】
ところが、このようなカードが挿着されるカードスロットには、動作電圧値を識別可能にするピンアサイン等が設けられていないので、供給する電力の電圧値が不適切な場合が発生し易く、このような場合にはカードを壊してしまう等の問題があった。
【０００６】
即ち、このようなカードスロットには５Ｖカードや３Ｖカードが共に挿着できるので、例えば３Ｖカードが挿着されているのに５Ｖの電圧を供給すると、挿着された３Ｖカードに対して過電圧となって壊れてしまうことがある。
【０００７】
そこで、例えば特開２０００−０４１３３３号公報や特開２０００−０５７２７３号公報においては、挿着されたカードの動作電圧値を判定して適正な電源供給が行えるようにした構成が開示されている。
【０００８】
【発明が解決しようとする課題】
しかしながら、上記公報に記載されている構成では、カードの動作電圧値を判定する回路を別途設けなければならず、かつ、その構成が複雑であるため装置が高価になる問題があった。
【０００９】
そこで、本発明は、挿着されたカードの動作電圧値を既存の構成で判定できるようにして、安価な電子機器を提供することを目的とする。
【００１０】
【課題を解決するための手段】
本発明は、２種類の動作電圧値の異なるカードが挿着できるカードスロットを備えたカードインターフェースに前記カードが挿着された際、当該カードに前記２種類の動作電圧値の異なる電力を選択的に供給する第１固定電源及び第２固定電源と、構成機器全ての動作を制御するＣＰＵとを有した電子機器装置であって、前記カードスロットに挿着されたカードに対して初めに前記２種類のうち動作電圧値の低い方の前記第１固定電源を供給する手段と、前記カードスロットに挿着されたカードのＩＤを読み込み、当該カードのＩＤが解読不能な場合に当該カードに供給する電圧を前記第２固定電源からの供給に切り替える手段と、前記カードインターフェースや当該カードインターフェースを具備する電子機器に実装されているデータ書換え可能なメモリに電力を供給して、そのデータの書換えを行うデータ書換装置が、前記カードスロットに挿着された際に、該データ書換装置から前記メモリに電力供給ができるように設けられた書換電源ラインと、前記固定電源からの電流が、前記書換電源ラインを介して前記メモリに流入しないように、当該書換電源ラインに設けられたメモリ保護器とを備えたものである。
【００１４】
【発明の実施の形態】
本発明の実施の形態を図を参照して説明する。図１は、本発明にかかるカードインターフェースを備えた電子機器装置におけるカード電源の概略構成を示す図である。
【００１５】
以下の説明では、カードは５Ｖ動作、３．３Ｖ動作のカードを想定し、このカードがファクシミリ装置（電子機器装置）に挿着される場合を例に説明する。しかし、本発明はこれに限定されるものではなく、動作電圧値の異なるカード（５Ｖ、３．３Ｖ以外の動作電圧値であっても良い）に対しても適用できると共に、プリンタやノート型パーソナルコンピュータのような機器に挿着される場合にも適用できることを予め付言する。
【００１６】
なお、ファクシミリ装置等の電子機器装置には、例えば画情報を記録するための記録装置、画情報を読取るための画像読取装置、ＣＰＵの動作プログラムが記憶されているＲＯＭや画情報等のデータを記憶する画像メモリ等のメモリ、画情報の送受信を行う送受信機能、カードＩ／Ｆ、該カードＩ／Ｆに挿着されたカードに電力供給するカード電源２等の種々の機能を具現するための構成機器が内蔵されて、ＣＰＵがこれらの全体的な動作を制御している。
【００１７】
当該カード電源２は、図示しないカードスロットに挿着されるカード４の動作電圧値に対応した５Ｖ固定電源１１や３Ｖ固定電源１２からなる固定電源１３、各固定電源１１，１２の出力ラインに設けられて当該固定電源１１，１２のいずれによりカード４に電力供給を行うか否かを制御する５Ｖ側出力開閉器１４及び３Ｖ側出力開閉器１５からなる出力開閉器１６、ＣＰＵ１からの出力制御信号Ｃのレベルを反転させて５Ｖ側出力開閉器１４に入力させるインバータ１７、出力制御信号Ｃの信号状態にかかわらずカード４に電力供給する固定電源１３を指定する５Ｖ側指定スイッチ１８及び３Ｖ側指定スイッチ１９からなる電源強制指定部２０、電子機器装置に内蔵されている記録装置等の構成部分に実装されているフラッシュＲＯＭ等の書込可能なメモリにカードＩ／Ｆ３に挿着されたＲＯＭライタ（データ書換装置）から電力供給する際の書換電源ライン２５に設けられて５Ｖ固定電源１１や３Ｖ固定電源１２からの電流がフラッシュＲＯＭ等に流れ込まないようにする順電圧の小さいショットキーダイオード等のメモリ保護器２６等を有している。
【００１８】
５Ｖ側出力開閉器１４及び３Ｖ側出力開閉器１５からなる出力開閉器１６はトランジスタにより形成されて、出力制御信号Ｃが３Ｖ側出力開閉器１５に入力すると共に、インバータ１７を介した信号が５Ｖ側出力開閉器１４に入力するようになっている。
【００１９】
そして、出力開閉器１６のベース電圧が「Ｈ」の時には「ＯＦＦ」し、「Ｌ」の時には「ＯＮ」するように構成されている。
【００２０】
従って、出力制御信号Ｃに対して一方の出力開閉器１６が「ＯＮ」すると他方の出力開閉器１６が「ＯＦＦ」して、５Ｖ側出力開閉器１４が「ＯＮ」すると、５Ｖ固定電源１１から５Ｖの電圧がカード４に供給され、３Ｖ側出力開閉器１５が「ＯＮ」すると３Ｖ固定電源１２から３．３Ｖの電圧がカード４に供給される。
【００２１】
電源強制指定部２０は、出力制御信号Ｃの信号状態にかかわりなく５Ｖ側出力開閉器１４をＯＮ／ＯＦＦさせる５Ｖ側指定スイッチ１８及び３Ｖ側出力開閉器１５をＯＮ／ＯＦＦさせる３Ｖ側指定スイッチ１９とにより構成されて、５Ｖ側指定スイッチ１８を操作すると５Ｖ側出力開閉器１４のベース電圧が強制的に「Ｌ」レベルになるので、５Ｖ固定電源１１からカード４に５Ｖの電圧が供給され、３Ｖ側指定スイッチ１９を操作すると３Ｖ側出力開閉器１５のベース電圧が強制的に「Ｌ」レベルになって３Ｖ固定電源１２から３．３Ｖの電圧がカード４に供給される。
【００２２】
この電源強制指定部２０は以下のような状況で利用される。即ち、例えばＣＰＵ１が正常に動作しているときは出力制御信号Ｃも正常に出力されるが、何らかの原因で当該ＣＰＵ１がプログラム暴走したような場合には、出力制御信号Ｃの制御ができなくなってしまう。
【００２３】
そこで、ＣＰＵ１の動作プログラムが記憶されいるカード４をカードＩ／Ｆ３に挿着し、当該プログラムをＣＰＵ１の動作プログラムが格納されているＲＯＭ等に移植してシステムの正常化を図る必要が生じる。
【００２４】
このときＣＰＵ１は、カード４の動作電圧値を自動判定することができないので、ユーザが５Ｖ側指定スイッチ１８又は３Ｖ側指定スイッチ１９の何れかを手動操作して、このカード４に電圧を供給する。
【００２５】
５Ｖ側指定スイッチ１８及び３Ｖ側指定スイッチ１９はユーザにより手動されるが、これはＣＰＵ１の暴走等の状況下では後述する動作電圧判定処理がＣＰＵ１で行えず、またＣＰＵ１の動作プログラムが記憶されているカード４は、ファクシミリ装置等の電子機器装置の専用品である場合が多く、この場合にはカード４の動作電圧値をマニュアル等で容易に確認できるためである。
【００２６】
このような構成で、カードＩ／Ｆ３に挿着されたカード４に電源を供給する際の手順を図２に示すフローチャートにしたがい説明する。
【００２７】
先ず、電子機器装置側の電源がＯＮされるとＣＰＵ１が動作プログラムを図示しないＲＯＭ等から読込み起動する（ステップＳ１）。
【００２８】
これに伴い各５Ｖ固定電源１１及び３Ｖ固定電源１２等も起動し、またＣＰＵ１から「Ｌ」の出力制御信号Ｃがカード電源２に出力される（ステップＳ２）。
【００２９】
この出力制御信号Ｃは、インバータ１７により「Ｈ」レベルとなって５Ｖ側出力開閉器１４を「ＯＦＦ」させると共に、３Ｖ側出力開閉器１５を「ＯＮ」させる。
【００３０】
これにより、カード４には３Ｖ固定電源１２から３．３Ｖの電圧が供給が行われるようになり、当該カード４からカード挿着信号（動作信号）が信号ライン２８を介してＣＰＵ１に入力する。
【００３１】
ＣＰＵ１は、このカード挿着信号を受信したか否かによりカードＩ／Ｆ３のカードポートにカード４が挿着されているか否かを判定する（ステップＳ３）。即ち、カード挿着信号を受信した場合には、カード４が挿着され、カード挿着信号を受信しない場合はカード４が挿着されていないと判定する。
【００３２】
カード４が挿着されていないと判定した場合には、ＣＰＵ１は出力制御信号Ｃの出力を停止し、カード４が挿着されていると判定した場合には、挿着されているカード４が３Ｖカード４であるか否かのチェックを行うべく、当該カード４のカードＩＤ（動作信号）を読込む（ステップＳ４）。
【００３３】
このカードＩＤには、カード製造メーカやカード４の仕様等が含まれているので、当該カードＩＤを解析することにより挿着されているカード４が３Ｖカードか否かが判定できる（ステップＳ５）。
【００３４】
なお、現段階においてはカード４に３．３Ｖの電圧が供給されているので、挿着されているカード４が５Ｖカードの場合には、当該カード４は正常に動作しない。このためカードＩＤの内容は解読不能なデータとなっている。
【００３５】
従って、カードＩＤが解読できるデータであるか否かで、挿着されているカード４が３Ｖカードか否かの判定が可能になり、３Ｖカードの場合には電源切換処理を現状状態に維持すべく処理を終了する。
【００３６】
一方、挿着されたカード４が３Ｖカードでないと判定した場合には、ＣＰＵ１は出力制御信号Ｃを「Ｈ」レベルに設定する（ステップＳ６）。
【００３７】
これにより５Ｖ側出力開閉器１４には「Ｌ」レベルの信号が入力して「ＯＮ」し、３Ｖ側出力開閉器１５には「Ｈ」レベルの信号が入力して「ＯＦＦ」して、カード４には５Ｖ固定電源１１から５Ｖの電圧が供給されるようになる。
【００３８】
その後、ＣＰＵ１はカードＩＤの読込、解析を行い、挿着されているカード４が５Ｖカードであるか否かを判定する（ステップＳ７，ステップＳ８）。
【００３９】
この結果、挿着されているカード４が５Ｖカードであると判定した場合には、現在の電源供給状態を維持すべく処理を終了する。
【００４０】
一方、挿着されているカード４が５Ｖカードであると判定できなかった場合は、挿着されているカード４が故障等しているとして、ＣＰＵ１は電子機器装置の起動を停止する等の異常処理を行うと共に、図示しない表示手段等によりユーザにその旨を通知する（ステップＳ９）。
【００４１】
なお、カードＩ／Ｆ３は複数のカード４が挿着できるように複数のカードスロットが設けられている場合がある。このような場合にはカード電源２は各カードスロットに対応して設けられ、上述したカード電源判定処理は各カードスロットで独立に行われる。
【００４２】
この場合、異常処理を行う際には電子機器装置を停止させてもよいが、異常と判定したカードスロットに挿着されたカード４への電源供給のみを停止する処理を行い、その旨を通知するようにしてもよい。
【００４３】
このように、カードＩ／Ｆ３に挿着されたカード４が５Ｖカードであるか３Ｖカードであるかをユーザが指示しなくても、最初に３Ｖ固定電源１２から電力を供給するようにして当該カードの動作電圧値を自動判定するため、挿着されているカード４を破損することなく適切な電圧供給が簡単な構成で行えるようになり、装置のコストダウンが図れる。
【００４４】
なお、先に述べたように本発明はカード電圧が５Ｖ、３．３Ｖに限定されないので、例えば１．５Ｖや１２Ｖ等の電圧で動作するカード４が存在した場合には、最初に最低電圧（この場合は１．５Ｖ）を供給して、その適正を自動判定し、不適切と判定した場合には順次上の電圧値の固定電源に切替えて供給する。
【００４５】
ところで、ファクシミリ装置等の電子機器装置にはフラッシュＲＯＭ等の種々のデータ書換え可能なメモリが用いられて、プリント基板等に実装されている。ところが、プリント基板には当該フラッシュＲＯＭ等の書換動作に必要な電源が設けられていない場合が多く、従来はフラッシュＲＯＭをプリント基板から取外等してデータの書換えを行っている。
【００４６】
そこで、本発明では書換電源ライン２５を設けて、カードＩ／Ｆ３に図示しないＲＯＭライタを挿着することで、当該ＲＯＭライタからプリント基板に実装されたフラッシュＲＯＭに電源供給が行えるようにしている。
【００４７】
このとき書換電源ライン２５は、フラッシュＲＯＭ等と接続状態にあるため、カードＩ／Ｆ３に５Ｖカードが挿着されて５Ｖ固定電源１１から電力供給を行うと、書換電源ライン２５を介してこの５Ｖ固定電源１１からフラッシュＲＯＭに電流が流れてしまい、当該フラッシュＲＯＭのデータが書換えられたり、破壊されたりする恐れが生じる。
【００４８】
かかる不都合を防止するため当該書換電源ライン２５には、順電圧が小さいメモリ保護器２６（例えば、ショットキーメモリダイオード）が設けられて、５Ｖ固定電源１１や３Ｖ固定電源１２から書換電源ライン２５を介して電力が供給されないようにすることで信頼性を向上させている。
【００４９】
【発明の効果】
以上説明したように、本発明によれば、カードスロットに挿着されたカードに対して、初めに２種類の動作電圧値のうち低い方の第１固定電源を供給して、カードスロットに挿着されたカードのＩＤを読み込み、当該カードのＩＤが解読不能な場合に当該カードに供給する電圧を高い方の第２固定電源からの供給に切り替えるようにしたので、カードを破壊することなく、また、カードを抜き差しすることなく、簡単な構成と操作でカードの動作電圧値を自動判定して常に適切な電圧の電力供給が可能となる、という効果が得られる。
【００５０】
また、カードインターフェースや当該カードインターフェースを具備する電子機器に実装されているデータ書換可能なメモリに電力を供給して、そのデータの書換を行うデータ書換装置が、カードスロットに挿着された際に、該データ書換装置からメモリに電力供給ができるように設けられた書換電源ラインと、固定電源からの電流が、書換電源ラインを介してメモリに流入しないように、当該書換電源ラインに設けられたメモリ保護装置とを設けたので、信頼性が向上するという効果も得る。
【図面の簡単な説明】
【図１】本発明の実施の形態の説明に適用されるカード電源を中心とするブロック図である。
【図２】カードの動作電圧を判定して適正な電圧供給を行う際の手順を示すフローチャートである。
【符号の説明】
１  ＣＰＵ
２  カード電源
３  カードＩ／Ｆ
４  カード
１１  ５Ｖ固定電源
１２  ３Ｖ固定電源
１３  固定電源
１４  ５Ｖ側出力開閉器
１５  ３Ｖ側出力開閉器
１６  出力開閉器
１７  インバータ
１８  ５Ｖ側指定スイッチ
１９  ３Ｖ側指定スイッチ
２０  電源強制指定部
２５  書換電源ライン
２６  メモリ保護器
【図１】
0004033683.tif 000002
【図２】
0004033683.tif 000003